【手続補正書】
【提出日】平成22年2月5日(2010.2.5)
【手続補正１】
【補正対象書類名】特許請求の範囲
【補正対象項目名】全文
【補正方法】変更
【補正の内容】
【特許請求の範囲】
【請求項１】
（ａ）１つ以上の多項選択式問題を提供するステップであって、各問題がクエリーと、複数の解答選択肢とを備え、前記複数の解答選択肢が１つの正解と、１つ以上の不正解とを備えるステップと、（ｂ）前記１つ以上の不正解の内の少なくとも１つについて、受験生に、前記１つ以上の不正解の内の少なくとも１つが正解となるフォローアップクエリーを作成するように促すステップとを含む試験方法であって、ステップ（ａ）またはステップ（ｂ）の少なくとも１つがコンピュータを使用して実施される方法。
【請求項２】
前記フォローアップクエリーが前記クエリーの修正クエリーである請求項１の方法。
【請求項３】
前記１つ以上の不正解の内の少なくとも１つが前記不正解の全てである請求項１の方法。
【請求項４】
（ａ）１つ以上の多項選択式問題を提供するステップであって、各問題がクエリーと、複数の解答選択肢とを備え、前記複数の解答選択肢が１つの正解と、１つ以上の不正解とを備えるステップと、（ｂ）受験生に、前記不正解の１つを選択するように促すステップ、および（ｃ）受験生に、前記不正解が正解となるフォローアップクエリーを作成するように促すステップとを含む試験方法。
【請求項５】
前記ステップ（ｃ）が、受験生に、前記フォローアップクエリーを作成する前記クエリーにおいて事実オブジェクトを修正するように促すことを含む請求項４の方法。
【請求項６】
前記ステップ（ｃ）が、受験生に、前記フォローアップクエリーを作成する修正リストから事実オブジェクトを選択するように促すことを含む請求項４の方法。
【請求項７】
（ａ）１つ以上の多項選択式問題を提供するステップであって、各問題がクエリーと、複数の解答選択肢とを備え、前記複数の解答選択肢が１つの正解と、１つ以上の不正解とを備えるステップと、（ｂ）前記クエリーで前記複数の解答選択肢の１つ以上に一致する事実オブジェクトのリストを提供するステップと、（ｃ）前記１つ以上の不正解の内の少なくとも１つが正解になるために、修正する前記リストから事実オブジェクトを特定するように受験生に促すステップとを含む試験方法であって、ステップ（ａ）、ステップ（ｂ）またはステップ（ｃ）の内の少なくとも１つがコンピュータを使用して実施される方法。
【請求項８】
（ａ）１つ以上の多項選択式問題を提供するステップであって、各問題がクエリーと、複数の解答選択肢とを備え、前記複数の解答選択肢が１つの正解と、１つ以上の不正解とを備えるステップと、（ｂ）受験生に前記１つ以上の不正解の中から不正解を選ぶように促すステップと、（ｃ）受験生に、フォローアップクエリーを作成するために前記クエリーの中で１つ以上の事実オブジェクトを変更することによって前記クエリーを修正するように促すステップと、（ｄ）前記不正解が前記フォローアップクエリーの正解であるかどうかを判断するステップと、（ｅ）前記不正解が前記フォローアップクエリーの正解ではない場合に、ステップ（ｃ）と（ｄ）を反復するステップとを備える試験方法であって、ステップ（ａ）、ステップ（ｂ）、またはステップ（ｃ）の内の少なくとも１つがコンピュータを使用して実施される方法。
【請求項９】
ステップ（ｄ）が受験生によって実施される請求項８の方法。
【請求項１０】
前記多項選択式問題および前記フォローアップクエリーが教育目的に適した媒体で編纂されるステップ（ｆ）を含む請求項８の方法。
【請求項１１】
前記媒体がコンピュータ判読可能である請求項８の方法。
【請求項１２】
（ａ）コンピュータ可読ソースを介して１つ以上の多項選択式問題を提供するステップであって、各問題がクエリーと複数の解答選択肢とを備え、前記複数の解答選択肢が１つの正解と、１つ以上の不正解とを備えるステップと、（ｂ）受験生に前記複数の解答選択肢の内の１つを見直すように促すステップと、（ｃ）受験生に前記問題の解答選択肢を選択するように促すステップと、（ｄ）受験生に前記解答選択肢が不正解であるかどうかを判断するように促すステップと、（ｅ）受験生に、フォローアップクエリーを見直し、前記解答選択肢が前記フォローアップクエリーの正解であるかどうかを判断するように促すステップとを含む、試験方法。
【請求項１３】
（ｆ）受験生に別の解答選択肢を選択するように促すステップと、（ｇ）前記別の解答選択肢が不正解である場合に、前記別の解答選択肢が正解であるフォローアップクエリーを生成するステップとをさらに含む、請求項１２に記載の方法。
【請求項１４】
前記コンピュータ可読ソースが通信網又は電信網である請求項１２の方法。
【請求項１５】
実行時に、（ａ）１つ以上の多項選択式問題を提供するステップであって、各問題がクエリーと複数の解答選択肢とを備え、前記複数の解答選択肢が１つの正解と、１つ以上の不正解とを備えるステップと、（ｃ）受験生に前記不正解の内の１つを選択するように促すステップと、（ｄ）フォローアップクエリーを提供するステップと、（ｅ）受験生に前記不正解が前記フォローアップクエリーの正解であるかどうかを判断するように促すステップとを実行する、コンピュータ可読媒体に記憶されるプログラム。
【請求項１６】
前記ステップ（ｃ），（ｄ）および（ｅ）が前記１つ以上の不正解の全てについて繰り返される請求項１５のプログラム。
【請求項１７】
（ａ）１つ以上の多項選択式問題を提供するステップであって、各問題がクエリーと複数の解答選択肢とを備え、前記複数の解答選択肢が１つの正解と、１つ以上の不正解とを備えるステップと、（ｂ）受験生に前記正解を選択するように促すステップと、（ｃ）受験生の前記正解の選択の記録を維持するステップと、（ｄ）事前に設定した式に従って受験生の前記正解の選択に対してクレジットを割り当てるステップと、（ｅ）受験生に前記複数の解答選択肢から別の解答選択肢を選択するように促すステップと、（ｆ）受験生に前記別の解答選択肢が正解であるフォローアップクエリーを提供するように促すステップと、（ｇ）受験生の前記別の解答選択肢の記録を維持するステップと、（ｈ）事前に設定した式に従って受験生の前記別の解答選択肢に対するクレジットを割り当てるステップと、（ｉ）事前に設定した式に従って受験生の割り当てられたクレジットを問題の得点に結合するステップと、（ｊ）事前に設定した基準に比して前記得点を評価するステップとを含む、試験方法。
【請求項１８】
前記方法が、通信網を介して遠隔教育として実施される請求項１７の方法。
【請求項１９】
さらに、前記多項選択式問題および前記フォローアップクエリーが教育目的に適した媒体で編纂されるステップを含む請求項１、４、または１７のいずれかの方法。
【請求項２０】
通信網又は電信網に任意に接続可能な装置であって、
（ａ）前記通信網又は電信網から１つ以上の多項選択式問題を受信可能な構成要素と、
（ｂ）前記通信網又は電信網に接続された時又は接続されていない時に請求項１７の方法を実行可能な構成要素と、
（ｃ）前記通信網又は電信網の構成要素に受験生の得点を送信可能な構成要素と
を含む、装置。
【請求項２１】
通信網又は電信網のデータを受信可能な構成要素を備えた請求項２０項の装置において、
データは、少なくとも１つの多項選択式問題の以下の部分を含み、
（ｄ）クエリーとして解してよい部分、
（ｅ）複数の解答選択肢と解してよい部分であり、前記複数の解答選択肢は、前記クエリーのために、少なくとも１つの正解と１つ以上の不正解とを備える、
（ｆ）修正された事実オブジェクトにより一つ以上の不正解の少なくとも一つがクエリーの正解となるように、修正するための事実オブジェクトとして解してよい前記クエリーの部分の一つ以上のリスト、
そして、クエリーと複数の解答選択肢から成る１つ以上の多項選択式問題を生成可能な構成要素を備え、前記複数の解答選択肢は、少なくとも一つの多項選択式問題の前記部分から、１つの正解と１つ以上の不正解とを備える。